(57)【要約】【課題】高い対角強度を有して自動販売機による販売時の多本出を確実に防止することができる合成樹脂製ボトルを提供する。【解決手段】胴部５は、コーナー部８を介して周方向に連設された４つの平坦壁部９を備え、四角筒状に形成される。平坦壁部９に、胴部５の内圧変化に対応して膨出変形と没入変形とを許容するパネル部１０を設ける。平坦壁部９におけるパネル部１０の上方と下方との少なくとも一方に、横方向に直線状に延びる溝状の横ビード１２を設ける。横ビード１２は、両端部が平坦壁部９の両側に隣接する夫々のコーナー部８で開放されている形状となっている。【選択図】図１
2018199532.tif 000002
【特許請求の範囲】
【請求項１】
円筒状の口部と、該口部の下端から下方に連続して次第に拡開する肩部と、該肩部の下端から下方に連続する胴部と、該胴部の下端を閉塞する底部とを備え、前記口部に装着したキャップにより前記胴部の内部が封止される合成樹脂製ボトルであって、
前記胴部は、コーナー部を介して周方向に連設された４つの平坦壁部を備えて四角筒状に形成され、前記コーナー部は、互いに隣り合う平坦壁部の周方向端縁同士を繋ぐ面で構成され、前記胴部の各平坦壁部に、該胴部の内圧変化に対応して膨出変形と没入変形とを許容するパネル部が設けられているものにおいて、
前記平坦壁部における前記パネル部の上方と下方との少なくとも一方に、横方向に直線状に延びる溝状の横ビードを備え、
前記横ビードは、両端部が当該平坦壁部の両側に隣接する夫々の前記コーナー部で開放されていることを特徴とする合成樹脂製ボトル。
【発明の詳細な説明】
【技術分野】
【０００１】
本発明は、円筒状の口部と、口部の下端から下方に連続して次第に拡開する肩部と、肩部の下端から下方に連続する胴部と、胴部の下端を閉塞する底部とを備え、胴部の内部には飲料等の内容物が充填され、口部に装着したキャップにより胴部の内部が封止される合成樹脂製ボトルに関する。
【背景技術】
【０００２】
飲料用の合成樹脂製ボトルとして、４つの平坦壁部がコーナー部を介して周方向に連設された四角筒状の胴部を備える所謂角型ボトルが知られている（下記特許文献１参照）。
【０００３】
この種の合成樹脂製ボトルに充填された飲料は、製品として自動販売機を用いて販売することが行われている。自動販売機は、横倒姿勢でコラムに積み重ねたボトルを払い出し部から１本ずつ払い出す。このとき、払い出されたボトルに後続するボトルのコーナー部には、自動販売機の払い出し部に設けられているストッパーが当接する。これにより、自動販売機は、払い出し部内でボトルを係止して不用意な払い出しを防止している。
【先行技術文献】
【特許文献】
【０００４】
【特許文献１】実開平２−１０２３１６号公報
【発明の概要】
【発明が解決しようとする課題】
【０００５】
しかし、角型ボトルの胴部はその対角線方向への変形が比較的大きい。このため、自動販売機のコラムで多数積み重ね状態となっている場合、払い出されたボトルに後続する最下位置の角型ボトルに対角線方向への変形が生じ、払い出し部のストッパーをすり抜けて不用意に払い出される所謂多本出が生じるおそれがある。
【０００６】
このような多本出を防止するために、角型ボトルの胴部においては、当該胴部の対角線方向への変形を抑制するための強度（以下対角強度という）を大とする必要がある。
【０００７】
そこで、本発明は、高い対角強度を有して自動販売機による販売時の多本出を確実に防止することができる合成樹脂製ボトルを提供することを目的とする。
【課題を解決するための手段】
【０００８】
かかる目的を達成するために、本発明は、円筒状の口部と、該口部の下端から下方に連続して次第に拡開する肩部と、該肩部の下端から下方に連続する胴部と、該胴部の下端を閉塞する底部とを備え、前記口部に装着したキャップにより前記胴部の内部が封止される合成樹脂製ボトルであって、前記胴部は、コーナー部を介して周方向に連設された４つの平坦壁部を備えて四角筒状に形成され、前記コーナー部は、互いに隣り合う平坦壁部の周方向端縁同士を繋ぐ面で構成され、前記胴部の各平坦壁部に、該胴部の内圧変化に対応して膨出変形と没入変形とを許容するパネル部が設けられているものにおいて、前記平坦壁部における前記パネル部の上方と下方との少なくとも一方に、横方向に直線状に延びる溝状の横ビードを備え、前記横ビードは、両端部が当該平坦壁部の両側に隣接する夫々の前記コーナー部で開放されていることを特徴とする。
【０００９】
平坦壁部に横ビードを設けることにより胴部の対角強度が向上し、横ビードの横方向長さが長いほど胴部の対角強度が高くなる。このことから、平坦壁部から当該平坦壁部に隣接するコーナー部との境界位置まで横ビードを延設し、これによって、胴部に高い対角強度を付与することが考えられる。
【００１０】
しかし、横ビードを平坦壁部とコーナー部との境界まで延設させると、ボトルのブロー成形時に横ビードの長手方向の端部の肉厚が均一に伸展せず、良好な賦形性が得られない場合がある。
【００１１】
そこで、本発明においては、横ビードを、その長手方向両端部が夫々コーナー部で開放する形状とした。これによれば、賦形性を低下させることなく比較的長い横ビードを設けることができる。
【００１２】
よって、胴部の対角強度を確実に向上させることができ、自動販売機による販売時の多本出を確実に防止することができる。
【図面の簡単な説明】
【００１３】
【図１】本発明の実施形態の合成樹脂製ボトルを示す側面図。
【図２】図１のII−II線断面図。
【図３】Ａは平坦壁部に位置する環状ビードの断面図、Ｂはコーナー部に位置する環状ビードの断面図。
【図４】自動販売機の払い出し機構を模式的に示す図。
【発明を実施するための形態】
【００１４】
本発明の一実施形態を図面に基づいて説明する。本実施形態の合成樹脂製ボトル１（以下、ボトル１という）は、ポリエチレンテレフタレート（ＰＥＴ）樹脂からなるプリフォーム（図示せず）をブロー成形により二軸延伸してなる略円筒状のＰＥＴボトルであり、図１に示すように、キャップ２（仮想線）を螺着することにより封止される口部３と、該口部３から下方に向かって次第に拡径する肩部４を介して更にその下方に連設された胴部５と、該胴部５の下部を閉塞する底部６とを備えている。
【００１５】
図１に示すように示す形状に形成されたボトル１には、内部に飲料が充填され、次いで、口部３にキャップ２を螺着して封止し、続いて、胴部５に図示しないロールラベルが装着されて製品として販売される。ロールラベルは、帯状に形成された薄手の合成樹脂シートであり、内容物の表示等の印刷が施されている。そして、後述するように、ボトル１に飲料を収容した製品は、自動販売機を用いて販売される。
【００１６】
胴部５は、図２に示すように、コーナー部８を介して周方向に連設された４つの平坦壁部９を備えて四角筒状に形成されている。
【００１７】
図１に示すように、各平坦壁部９には、胴部５の内圧変化に対応して膨出変形と没入変形とを許容するパネル部１０が形成されている。各コーナー部８は、互いに隣り合う平坦壁部９の周方向端縁同士を繋ぐ湾曲面で構成されている。
【００１８】
各平坦壁部９と各コーナー部８との境界位置には、上下方向に延びる溝状の縦ビード１１が形成されている。縦ビード１１は、パネル部１０の上下方向の長さと略同等の長さに形成されている。
【００１９】
また、図１に示すように、胴部５の各平坦壁部９には、パネル部１０の上方と下方とに夫々位置して横方向に直線状に延びる溝状の横ビード１２が形成されている。横ビード１２は、パネル部１０の横方向の長さよりも長く、その横方向両端の夫々が、各コーナー部８で開放されている。
【００２０】
また、図１に示すように、胴部５には、その全周にわたって連続する溝状の上部環状ビード１３と下部環状ビード１４とが形成されている。
【００２１】
上部環状ビード１３は、胴部５の上縁（肩部４との境界）から下方に所定距離を存した位置に形成されている。この位置に配置された上部環状ビード１３は、各平坦壁部９の横ビード１２とパネル部１０との間を通って周方向に延びる。
【００２２】
更に、上部環状ビード１３は、全周にわたって同じ形状とされておらず、図３Ａに示した上部環状ビード１３における平坦壁部９に位置する部分の深さＤ１及び外側上下幅Ｗ１（上側内面の外側端縁と下側内面の外側端縁との間の距離）よりも、図３Ｂに示した上部環状ビード１３におけるコーナー部８に位置する部分の深さＤ２及び外側上下幅Ｗ２が大とされている。このとき、上部環状ビード１３は、その下側内面の外側端縁が、平坦壁部９に位置する部分よりも下方に位置し、その上側内面の外側端縁の位置は、平坦壁部９に位置する部分と同じに形成されている。
【００２３】
以上の構成による本実施形態のボトル１は、次の効果を有している。即ち、各平坦壁部９に横ビード１２を形成したことにより、胴部５の対角強度（対角線方向の圧縮変形強度）が向上し、胴部５が横方向からの荷重を受けた場合に対角線方向の変形を抑制することができる。
【００２４】
ボトル１の胴部５の対角強度が向上することにより、例えば、図４に示すように、複数のボトル１を自動販売機のコラム１５内に横倒姿勢で複数段に積み上げ際、最下位置のボトル１が払い出し部のストッパー１６のすり抜けが防止できる。
【００２５】
自動販売機の払い出し部のストッパー１６は、ボトル１の胴部５のコーナー部８に当接することにより、ボトル１を係止する。ストッパー１６がコーナー部８に当接しているボトル１に対してその上方から荷重がかかると、この荷重によりボトル１の胴部５が変形してボトル１がストッパー１６とコラム１５の内壁との間を通過しようとするが、この時の変形は胴部５の横ビード１２により抑制されるから、ボトル１はストッパー１６とコラム１５の内壁との間を通過することはなく、自動販売機における多本出が防止される。
【００２６】
更に、図１に示すように、横ビード１２は、その長手方向両端部が夫々コーナー部８で開放する形状とされていることにより、ブロー成形の際に胴部５の肉厚を均一として良好な胴部５が形成される。よって、ボトル１のブロー成形時の賦形性を低下させることなく比較的長い横ビード１２を設けることができる。
【００２７】
なお、横ビード１２はパネル部１０の上方と下方との何れか一方のみに設けておけばよい。
【００２８】
また、ボトル１は、上部環状ビード１３が形成されていることによって胴部５の対角強度が一層向上している。そして、上部環状ビード１３は、図３Ｂに示すように、コーナー部８に位置する部分の深さＤ２を大としたので、平坦壁部９に位置する部分の深さＤ１（図３Ｂ参照）が比較的浅くても対角強度を大きくすることができる。そして、上部環状ビード１３のコーナー部８に位置する部分の外側上下幅Ｗ２を平坦壁部９に位置する部分より大きくしたことにより、良好な賦形性を維持して、上部環状ビード１３のコーナー部８に位置する部分の深さＤ２を大とすることができる。
【符号の説明】
【００２９】
１…合成樹脂製ボトル、２…キャップ、３…口部、４…肩部、５…胴部、６…底部、８…コーナー部、９…平坦壁部、１０…パネル部、１２…横ビード。
【図１】
2018199532.tif 000003
【図２】
2018199532.tif 000004
【図３】
2018199532.tif 000005
【図４】
2018199532.tif 000006